(57)【要約】  本発明は、磁気共鳴（ＭＲ）イメージング技法に基づいて、人間又は動物の身体の画像を記録するのに適した処置室（７）に関する。処置室の壁（７ａ）、天井（７ｂ）及び床（７ｃ）は、処置室に配置される磁気共鳴（ＭＲ）イメージングシステム（１）に対する電磁シールドを形成し、ＭＲイメージングシステムは、少なくとも、人間又は動物の身体が配置されうるターゲット領域（５）と、ターゲット領域（５）に１又は複数の磁界を生成するための少なくとも１つの主磁気ユニット及び少なくとも１つの勾配磁気ユニットを有するハウジング（２、３、４）と、ターゲット領域（５）に電磁ＲＦパルスを生成するための少なくとも１つの無線周波数（ＲＦ）パルスユニット（６）と、を有する。本発明は、更に、人間又は動物の身体が配置されうるターゲット領域と、ターゲット領域に１又は複数の磁界を生成するための少なくとも１つの主磁気ユニット及び少なくとも１つの勾配磁気ユニットを有するハウジングと、ターゲット領域に電磁ＲＦパルスを生成するための少なくとも１つの無線周波数（ＲＦ）パルスユニットと、を有する磁気共鳴イメージングシステムに関する。本発明によれば、動作中、処置室（７）内のターゲット領域（５）の外側でのＲＦパルスの電磁効果（８）を打ち消す手段（１０、１１、１２、１３、１４、１５、１６、１７）が存在する。
2008517633.tif 000002
【特許請求の範囲】
【請求項１】
磁気共鳴に基づいて人間又は動物の身体の画像を記録するのに適した処置室であって、前記処置室の壁、天井及び床が、前記処置室に配される磁気共鳴イメージング装置に対する電磁シールドを形成し、前記磁気共鳴イメージング装置が、人間又は動物の身体が収容されうるターゲット領域と、前記ターゲット領域に１又は複数の磁界を生成するための少なくとも１つの主磁気ユニット及び少なくとも１つの勾配磁気ユニットを有するハウジングと、前記ターゲット領域に電磁ＲＦパルスを供給するための少なくとも１つの無線周波数パルスユニットと、を少なくとも有する処置室であって、
動作中、前記処置室内の前記ターゲット領域の外側の前記ＲＦパルスの電磁効果を打ち消す手段が存在することを特徴とする処置室。
【請求項２】
前記手段が、前記処置室内に配されることを特徴とする、請求項１に記載の処置室。
【請求項３】
前記手段が、前記処置室の前記壁及び／又は前記天井及び／又は前記床の少なくとも１つに設けられることを特徴とする、請求項２に記載の処置室。
【請求項４】
前記手段が、ステンレススチールからなる層から構成されることを特徴とする、請求項３に記載の処置室。
【請求項５】
前記手段が、電気伝導コーティングから構成されることを特徴とする、請求項３に記載の処置室。
【請求項６】
前記手段が、電磁波を吸収する材料からなる１又は複数の素子から構成されることを特徴とする、請求項３に記載の処置室。
【請求項７】
前記素子が、フェライトタイルであるように具体化されることを特徴とする、請求項６に記載の処置室。
【請求項８】
前記素子が、電気伝導材料のオープンなファイバ構造を有することを特徴とする、請求項６又は請求項７に記載の処置室。
【請求項９】
前記素子が、前記処置室の内部に向けられた空間構造を有することを特徴とする、請求項６に記載の処置室。
【請求項１０】
前記手段が、前記処置室において、前記磁気共鳴イメージング装置に対して移動可能であることを特徴とする、請求項２に記載の処置室。
【請求項１１】
前記手段が、前記ＲＦパルスによって生成される磁界に対してほぼ垂直に向けられる少なくとも１つのＬＣＲ回路を有することを特徴とする、請求項２又は請求項１０に記載の処置室。
【請求項１２】
前記手段が、前記ＲＦパルスによって生成される電界に対してほぼ平行に向けられる少なくとも１つのＬＣＲダイポールアンテナを有することを特徴とする、請求項２又は請求項１０に記載の処置室。
【請求項１３】
前記ＬＣＲダイポールアンテナが、前記電磁シールドに電気的に接続されており、１／４λに等しい電気的長さを有することを特徴とし、ここで、λは、前記ＲＦパルスの波長に等しい、請求項１２に記載の処置室。
【請求項１４】
前記ＬＣＲダイポールアンテナが、前記電磁シールドから電気的にシールドされるように前記電磁シールドに接続されており、１／２λに等しい電気的長さを有することを特徴とし、ここで、λは、前記ＲＦパルスの波長に等しい、請求項１２に記載の処置室。
【請求項１５】
前記手段が、前記処置室に配されることができる少なくとも１つの電気伝導面を有することを特徴とする、請求項２又は請求項１０に記載の処置室。
【請求項１６】
前記手段が、前記磁気共鳴イメージング装置の一部を形成することを特徴とする、請求項１に記載の処置室。
【請求項１７】
前記手段が、前記ハウジングの材料の抵抗率と比較して比較的高い電気抵抗率を有し、前記ＲＦユニットを囲むように前記ハウジングに設けられることを特徴とする、請求項１６に記載の処置室。
【請求項１８】
前記手段が、多数の隣接する導波管から構成されており、前記導波管が、少なくとも１つの電気的に開放した端部を具えることを特徴とする、請求項１７に記載の処置室。
【請求項１９】
前記導波管の電気的長さが、１／４λに等しいことを特徴とし、ここで、λは、前記ＲＦパルスの波長に等しい、請求項１８に記載の処置室。
【請求項２０】
リアクティブ素子が、前記導波管の少なくとも一端の近傍に設けられることを特徴とする、請求項１７又は請求項１８に記載の処置室。
【請求項２１】
人間又は動物の身体が収容されうるターゲット領域と、
前記ターゲット領域に１又は複数の磁界を生成するための少なくとも１つの主磁気ユニット及び少なくとも１つの勾配磁気ユニットを有するハウジングと、
前記ターゲット領域に電磁ＲＦパルスを供給するための少なくとも１つの無線周波数パルスユニットと、を有し、
請求項１６乃至請求項２０のいずれか１項に記載の手段を具える、磁気共鳴イメージング装置。
【発明の詳細な説明】
【技術分野】
【０００１】
本発明は、磁気共鳴（ＭＲ）に基づいて人間又は動物の身体の画像を記録するのに適した処置室であって、処置室の床、天井及び壁が、処置室に配置された磁気共鳴（ＭＲ）イメージング装置に対する電磁シールドを形成し、磁気共鳴イメージング装置が、人間又は動物の身体が収容されうるターゲット領域と、ターゲット領域に１又は複数の磁界を生成するための少なくとも１つの主磁気ユニット及び少なくとも１つの勾配磁気ユニットを有するハウジングと、ターゲット領域に電磁ＲＦパルスを供給するための少なくとも１つの無線周波数（ＲＦ）パルスユニットと、を少なくとも有する、処置室に関する。
【０００２】
本発明は、更に、人間又は動物の身体が収容されうるターゲット領域と、ターゲット領域に１又は複数の磁界を生成するための少なくとも１つの主磁気ユニット及び少なくとも１つの勾配磁気ユニットを有するクライオスタットと、ターゲット領域に電磁ＲＦパルスを供給するための少なくとも１つの無線周波数（ＲＦ）パルスユニットと、を有する磁気共鳴イメージング装置にも関する。
【背景技術】
【０００３】
磁気共鳴（ＭＲ）に基づくイメージング技術は、今日、医学診断の目的で人間又は動物の身体の内部器官の画像を生成するために最も多く使用される技術の一つである。
【０００４】
ＭＲイメージング装置によって、ターゲット領域に配置される患者は、主磁気ユニットによって生成される主磁界Ｂ０を受ける。こうして、小さい磁気双極子の働きをする患者の身体に存在する陽子（Ｈ＋粒子）は、主磁界によって部分的に同じ方向に配向される。
【０００５】
ターゲット領域への無線周波数電磁パルス（ＲＦパルス）の一時的な発生によって、磁気的に配向された陽子は、短い間不安定な状態になる。主磁界Ｂ０の結果として、不安定な状態にされた陽子は、この磁界に対してそれらの配向を戻そうとする。この再配向の間、不安定な状態にされた陽子は、陽子が主磁界Ｂ０に対してそれらの元の配向に戻るまで、それらの配向軸の周りで歳差運動を受ける。
【０００６】
陽子を主磁界Ｂ０に対してそれらの元の向きに戻させる前記歳差運動は、電磁信号の発生を伴う。多くの歳差信号を受け取り、解析することによって、患者の身体の内部器官の正確な画像が、取得されうる。
【０００７】
今日では、「オープン」タイプのＭＲイメージング装置が、ますます適用されている。「オープン」タイプのＭＲイメージング装置では、ターゲット領域は、「クローズド」タイプ又は円柱状若しくは管状タイプのＭＲイメージング装置の場合のように、磁気ユニットが収容されるハウジング（クライオスタット又は永久磁石ユニット）によってもはや完全には囲まれない。前記オープンタイプのＭＲイメージング装置は、よりオープンな設計を有し、磁気ユニットは、ハウジング内のターゲット領域の上下又は片側に配置される。
【発明の開示】
【発明が解決しようとする課題】
【０００８】
この新しい世代のＭＲイメージング装置のオープンな設計の結果として、特に、ＲＦパルスに起因する電磁現象が、処置室内の周囲環境に伝えられる。円柱形の「クローズド（閉じた）」タイプのＭＲイメージング装置の場合、ターゲット領域の「クローズド」構造によって、ＲＦパルスはハウジングによって捕捉され又はシールドされるので、上述の電磁現象の効果は、非常により小さい程度に発生する。
【０００９】
処置室におけるＲＦパルスから周囲環境への電磁現象の効果は、より強い磁界（及びそれゆえ一層高い周波数を有するＲＦパルス）を使用するＭＲイメージング装置の開発によって、更に増大される。
【００１０】
ターゲット領域の外側のＲＦパルスの電磁効果は、環境（医療スタッフ及び機器）に影響を及ぼすことが分かっている。この例は、ＲＦパルスによって生成される電流であり、この電流は、人体を通って流れる。加えて、ターゲット領域の外側のＲＦパルスの電磁効果によって、患者の内部器官の最終的に取得可能な画像の品質は、悪影響を及ぼされる。
【００１１】
従って、本発明の目的は、処置室において、ターゲット領域の外側でのＲＦパルスのこれらの電磁効果を最小限にすることである。
【課題を解決するための手段】
【００１２】
本発明によれば、処置室は、動作中、処置室内のターゲット領域の外側のＲＦパルスの電磁効果を打ち消す手段が存在することによって特徴付けられる。
【００１３】
こうして、特にいわゆる「オープン」タイプのＭＲイメージング装置の場合、ＲＦパルスがターゲット領域の外側の環境に悪影響を及ぼすことが妨げられる。これらのＲＦパルスの電磁効果は打ち消され、それゆえ、いわゆる「オープン」タイプのＭＲイメージング装置の場合、環境／バイスタンダーは、より高くより強い磁界であっても、許容できるＲＦロードにさらされる。
【００１４】
より具体的には、一実施例において、上述の手段は、処置室に配置され、特に、処置室の壁及び／又は天井及び／又は床のうちの少なくとも１つに設けられる。
【００１５】
一実施例において、上述の手段は、ステンレススチールからなる層から構成される。
【００１６】
別の実施例において、上述の手段は、電気伝導（電気を逃がす）コーティングから構成される。
【００１７】
更に別の機能的な実施例において、上述の手段は、電磁波を吸収する材料からなる１又は複数の素子から構成される。これらの素子は、例えばフェライトタイルであるように具体化される。電磁波がこれらの素子によって吸収され、それゆえ不十分に反射されることが、前記素子にとって重要である。
【００１８】
本発明により、素子が、電気伝導材料のオープンなファイバ構造を有する点において、処置室内のＲＦパルスの電磁効果は、非常に機能的に打ち消されることができる。
【００１９】
本発明による別の非常に機能的な設計において、電気伝導（電気を逃がす）素子は、処置室の内部に向けられた空間構造を有する。
【００２０】
他の機能的な実施例において、手段は、処置室においてＭＲイメージング装置に対して移動されることができ、それによって、電磁効果の打ち消しが、効果的に且つ直ちに、ＭＲイメージング装置の動作環境に適応されることができる。
【００２１】
ＲＦパルスの磁気効果を打ち消し、又は除去するように設計される特定の実施例において、手段は、ＲＦパルスによって生成される磁界にほぼ垂直に向けられる少なくとも１つのＬＣＲ回路を有する。
【００２２】
ＲＦパルスの電気効果を打ち消し、又は除去するように特に設計される他の実施例において、手段は、ＲＦパルスによって生成される電界とほぼ平行に向けられる少なくとも１つのＬＣＲダイポールアンテナを有する。
【００２３】
アンテナが電磁シールドに電気的に接続されるＬＣＲダイポールアンテナの具体例において、ＬＣＲダイポールアンテナは、１／４λに等しい電気的長さを有する。ここで、λは、ＲＦパルスの波長に等しい。
【００２４】
上記の実施例と異なり、ダイポールアンテナが、電磁シールドから電気的にシールドされるように電磁シールドに接続されるＬＣＲダイポールアンテナの他の実施例において、ダイポールアンテナは、１／２λに等しい電気的長さを有する。ここで、λは、ＲＦパルスの波長に等しい。
【００２５】
更に、処置室に電気伝導面を設けることも、本発明による手段の機能的な一実施例として考えられうることが分かった。
【００２６】
本発明の他の特徴によれば、手段は、ＭＲイメージング装置の一部を形成することもでき、手段は、高い電気抵抗を有することができ、手段は、ＲＦユニットを囲むようにクライオスタット上に設けられることができる。
【００２７】
より具体的には、手段が、多数の隣接する導波管からなり、導波管の少なくとも一端が、電気的に開放している場合、処置室におけるターゲット領域の外側の電磁効果が、有利に打ち消されることができることが分かった。必要に応じて、両端が、電気的に開放していてもよい。
【００２８】
より具体的には、このケースでは、導波管の電気的長さは、１／４λに等しいべきであり、ここで、λは、ＲＦパルスの波長に等しい。同様の機能が、本発明により、導波管の開放した少なくとも一端又は両端の近傍にリアクティブインピーダンスを設けることによって達成されることができる。リアクティブインピーダンス及び導波管は、協働して、ハウジングを通るＲＦ電流に対して高いインピーダンスを形成する。
【００２９】
冒頭の段落に言及した磁気共鳴イメージング装置は、それが上述の手段の１又は複数を備える場合、本発明の一部を形成する。
【００３０】
本発明のこれら及び他の見地は、以下に記載する（複数の）実施例から明らかであり、それらを参照して説明される。
【発明を実施するための最良の形態】
【００３１】
簡潔さ及び本発明のより良い理解のために、以下の説明において、同様の参照数字は、同様の構成要素をさす。
【００３２】
図１ａ及び図１ｂは、磁気共鳴（ＭＲ）の原理によって動作するイメージング装置の概略図である。図１ａ及び図１ｂは、特に、いわゆる「オープン」タイプのＭＲイメージング装置を示している。
【００３３】
ＭＲイメージング装置１は、技術用語で「クライオスタット」又は「永久磁石」と呼ばれるハウジング２、３、４を有する。ハウジング２、３、４は、人間又は動物の身体が収容されうるターゲット領域５に１又は複数の磁界を生成するための少なくとも１つの主磁気ユニット及び少なくとも１つの勾配磁気ユニット（両方とも図示せず）を収容する。
【００３４】
ハウジング２、３、４に収容される主磁気ユニット及び勾配磁気ユニットによって、磁界（主磁界Ｂ０及び勾配磁界Ｇｘ、Ｇｙ、Ｇｚ）が、動作中、ターゲット領域５に生成されることができる。ターゲット領域５に存在する患者の身体中の陽子は、主磁界Ｂ０の方向に部分的に向けられる。
【００３５】
ＭＲイメージング装置に同様に収容される無線周波数パルスユニット６によって、ＲＦパルスが、ターゲット領域５に供給され、それによって、磁界Ｂ０によって配向され、双極子の役目を果たす陽子（Ｈ＋）は、一時的に不安定な状態にされる。ＲＦパルスの停止後、不安定にされた陽子は、ターゲット領域５に存在する主磁界Ｂ０に対してそれらの配向を戻す。
【００３６】
この再配向は、陽子が主磁界Ｂ０に対してそれらの元の配向を戻すまで、それらの配向軸の周囲で不安定にされた陽子によって行われる歳差運動を伴う。
【００３７】
患者の身体中の陽子を主磁界によって規定される配向に「フォールバック」させる前記歳差運動は、電磁信号の発信を伴う。
【００３８】
陽子によって発せされる歳差運動信号の全ては、受信コイルユニットによって受信され、患者の身体の内部器官の正確な画像を取得するために更に処理される。
【００３９】
冒頭部分に概説したように、図１ａ及び図１ｂに示すオープンタイプのＭＲイメージング装置は、「クローズド」タイプのＭＲイメージング装置の場合のようにターゲット領域５がハウジング２、３、４（クリオスタット又は永久磁気ユニット）によってもはや完全には囲まれない点で、欠点を有する。新しい世代のＭＲイメージング装置のオープンな性質の結果として、ターゲット領域５にその都度供給されるＲＦパルスに起因する電磁現象は、ＭＲイメージング装置が配置されている処置室内の周囲環境に伝えられる。ＲＦパルスのこれらの電磁現象は、より強い磁界を使用する（それゆえより高い周波数を有するＲＦパルスをも必要とする）ＭＲイメージング装置の開発によって更に強められる。
【００４０】
図２は、ＲＦパルスユニット６によってターゲット領域５に供給されるＲＦパルスのターゲット領域５の外側の電界分布図の例を概略的に示している。ＲＦパルスは、本来且つもっぱら、ターゲット領域５においてアクティブであるべきであり、すなわち、患者の身体中の配向された陽子を一時的に不安定にすべきであるが、ＲＦパルスの電磁効果は、ターゲット領域５を越えて伝えられ、ＭＲイメージング装置１が配置されている処置室７に達することがはっきり分かる。これは、電界線８によって図２に示されている。
【００４１】
環境（現場の医療スタッフ及び機器）に対するこれらの電磁効果の影響、具体的にはそのＲＦロードを最小限にするために、本発明により、動作中、処置室７内のターゲット領域５の外側におけるＲＦパルスの電磁効果を打ち消す手段を使用することが提案される。
【００４２】
図３は、動作中、処置室７においてＲＦパルスの電磁効果８を打ち消すために使用される手段の第１の実施例を示している。壁７ａ、天井７ｂ及び床７ｃに囲まれる処置室７の概略的な空間図が示されている。空間７は、ＭＲイメージング装置に対する電気シールド（「ファラデー箱」）を形成する。
【００４３】
本発明によれば、手段１０は、処置室７の壁７ａ及び／又は天井７ｂ及び／又は床７ｃの少なくとも１つに設けられ、例えばステンレススチールの層から構成されことができる。別の実施例において、手段は、壁７ａ及び／又は天井７ｂ及び／又は床７ｃの１又は複数に適用される電気伝導コーティングから構成されることができる。前記２つの手段は、イメージング装置１と壁７ａの１つとの間で、処置室７における使用されない電磁波の出現を低減する。実際、これらの手段は、例えば銅からなる壁の電気抵抗と比較して、壁の電流に対する電気抵抗の増加をもたらす。
【００４４】
そのおかげで、特にいわゆる「オープン」タイプのＭＲイメージング装置１の場合、ＲＦパルスが、ターゲット領域５の外側の環境７に、長く続く負の影響を及ぼすことが妨げられる。その結果、環境／バイスタンダーは、より高い周波数のＲＦ場の場合でさえ、正常なワークロードにさらされる。
【００４５】
図３に示す実施例において、手段は、１又は複数の素子１０から構成される。処置室７内を進む電磁波は、これらの素子によって、壁７ａ、天井７ｂ及び床７ｃの位置では十分に反射されず、これらの電磁波が、処置室７を形成し／囲む電気シールドを介して前記素子によって吸収されることが、これらの素子にとって重要である。より具体的には、これらの素子は、フェライトタイル１０であるように具体化される。別の実施例において、素子は、電気伝導材料のオープンなファイバ構造を有することができる。
【００４６】
別の実施例は、図４に示されており、手段１１は、処置室７の内部に向けられた空間構造を有する電気伝導素子から構成されている。図４において、これらの手段１１は、ピラミッド形の素子１１であるように具体化されている。
【００４７】
図４に示すような別の実施例は、ファラデー箱として働く処置室７（７ａ−７ｂ−７ｃ）に接続部１２ａを介して電気的に又は容量的に接続される少なくとも１つの電気伝導面１２を有する。手段１２は、電気伝導面であるように具体化され、好適には、ＲＦパルスによって処置室７に結合される使用されない電磁波の電界が最も強い位置に配置される。
【００４８】
特定の実施例において、電気伝導面１２は、曲がった（四角の）形状を有し、ハウジング２、３、４上で、天井７ｂに容量的に接続される。
【００４９】
こうして、電界は、電気伝導面１２によって受け取られ、電気接続部１２ａ及び電気シールド７ａ−７ｂ−７ｃを介して処置室７から取り除かれる。言い換えると、この設備によって、処置室７内の使用されない電磁波に起因する電磁効果が、低減され又は取り除かれる。
【００５０】
特定の実施例において、手段１２は、処置室７において、ＭＲイメージング装置１に対して移動されることができる。その結果、電気伝導面１２は、ＭＲイメージング装置１の動作中（特にＲＦパルスユニット６の動作中／アクティブな状態な間）、処置室７に生じる電磁効果のタイプ及び形状に依存して、処置室７（天井７ｂにおける両方の矢印を参照）内のどこにでも配置されることができる。
【００５１】
代替例として、電気伝導面１２は、ハウジング周囲に設けられるストリップであるように具体化されることができる。ストリップは、一方で、ハウジング２、３、４に接続され、他方で、天井７ｃに接続される。
【００５２】
図４に示す電気伝導面の他の実施例は、図５ａ及び図５ｂに示されている。図５ａは、電気接続部１３ａによって電気シールドの壁７ａ又は天井７ｂに接続されうるＬＣＲ回路１３を示している。ＬＣＲ回路１３は、ＲＦユニット６によって発せられたＲＦパルスの電磁現象の磁気成分Ｂを受け取るために使用される。この目的で、ＬＣＲ回路１３は、ＲＦパルスによって生成される磁界成分Ｂにほぼ垂直に向けられるべきである。
【００５３】
処置室７内に収容されることができるとともに、移動可能であり又は移動可能でなくてもよい手段の別の実施例は、図５ｂに示されており、ＬＣＲダイポールアンテナ１４から構成される。ＬＣＲダイポールアンテナ１４は、ＲＦパルスによって生成される電界成分Ｅを受け取るために使用され、従って、この電界にほぼ平行に向けられるべきである。
【００５４】
図５ｂに示すように、処置室７のターゲット領域５の外側のＲＦパルスの電磁効果を打ち消す手段は、２つの異なる実施例において実現されることができる。
【００５５】
第１の実施例において、ＬＣＲダイポールアンテナ１４は、接続部１４ａによって、電磁シールド（ファラデー箱）（壁７ａ又は天井７ｂ）に電気的に接続され、１／４λの電気的長さを有する。ここで、λは、ＲＦパルスの波長に等しい。
【００５６】
別の実施例において、接続部１４ａは、電気シールド７に対する電気接続部でなく、電気的に絶縁された接続部であり、電気的にシールドされたＬＣＲダイポールアンテナは、１／２λに等しい電気的長さを有する。ここで、λは、ＲＦパルスの波長に等しい。
【００５７】
図４に示す手段１２の実施例と同様に、ＬＣＲ回路１３及びＬＣＲダイポールアンテナ１４は、処置室７内に移動可能に配置されることができる。
【００５８】
当然ながら、処置室７に複数のＬＣＲ回路１３又はＬＣＲダイポールアンテナ１４を配置することも可能である。
【００５９】
別の実施例において、ＲＦユニット６によって供給されるＲＦパルスの電磁効果を打ち消す手段は、処置室７に配置されず、ＭＲイメージング装置１の一部を形成する。
【００６０】
この実施例は、図６に示されている。これらの手段は、ハウジング２、３、４を構成する材料の抵抗率に対して比較的高いインピーダンスを有し、それらが完全にＲＦユニット６を囲むようにハウジング（クリオスタット又は永久磁石）上に設けられる。
【００６１】
図６において、これらの手段は、多数の相互に接続された隣接する導波管１５から構成される。前記導波管１５は、少なくとも一端１５ａでは開放であり、本実施例では、導波管１５の他端１５ｂは、閉じている。より具体的には、それぞれの導波管１５の電気的長さは、１／４λに等しく、ここで、λは、ＲＦパルスの波長に等しい。しかしながら、代替例として、導波管１５は、両端において開放しているように具体化されてもよい。
【００６２】
図６に示さないが、隣接する相互接続された導波管１５は、（ＲＦユニット上に位置する）部分２にも設けられなければならない。
【００６３】
ＲＦユニット６によって発せられるＲＦパルスの処置室７に対する結合を打ち消す付加の機能は、特定の実施例において、導波管１５の一方又は両方の開放端１５ａ−１５ｂの近傍に配置されうるリアクティブ素子１５ｃによって達成されることができる。目的は、ハウジング２、３、４を通るＲＦ電流に、導波管１５及び高いインピーダンスを有するリアクティブインピーダンス１５ｃを提供することである。
【００６４】
図７に示す別の実施例において、比較的高い電気抵抗率を有する手段は、ＲＦユニット６によって発せられるＲＦパルスの電磁効果と直接接触するハウジング２の表面に適用されるコーティング又は層１６から構成される。
【００６５】
必要に応じて、図８の実施例に示すように、高い電気抵抗率を有する材料が、ＲＦユニットによって発せられるＲＦパルスに対する高い電気的障壁を形成するために、ＲＦユニット６の周囲にリング１７の形で設けられることができる。リング１７は、ハウジングの部分３及び部分２に設けられなければならない。
【図面の簡単な説明】
【００６６】
【図１ａ】「オープン」タイプの磁気共鳴イメージング装置の概略図。
【図１ｂ】「オープン」タイプの磁気共鳴イメージング装置の概略図。
【図２】ＲＦパルスによって生じさせられる電界の空間分布図の一例を示す図。
【図３】処置室に設けられる本発明による手段の第１の実施例を示す図。
【図４】処置室に設けられる本発明による手段の第２の実施例を示す図。
【図５ａ】処置室に設けられる本発明による手段の第３の実施例を示す図。
【図５ｂ】処置室に設けられる本発明による手段の第４の実施例を示す図。
【図６】本発明による手段を備えるＭＲイメージング装置の第１の実施例を示す図。
【図７】本発明による手段を備えるＭＲイメージング装置の第２の実施例を示す図。
【図８】本発明による手段を備えるＭＲイメージング装置の第３の実施例を示す図。
【図１ａ】
2008517633.tif 000003
【図１ｂ】
2008517633.tif 000004
【図２】
2008517633.tif 000005
【図３】
2008517633.tif 000006
【図４】
2008517633.tif 000007
【図５ａ】
2008517633.tif 000008
【図５ｂ】
2008517633.tif 000009
【図６】
2008517633.tif 000010
【図７】
2008517633.tif 000011
【図８】
2008517633.tif 000012
【国際調査報告】
2008517633.tif 000013
2008517633.tif 000014
2008517633.tif 000015